(57)【要約】【課題】更に小さい角度の回転を備え、同時に製造工程を低コストにする低コスト及び低角度回転のラチェットスパナ構造を提供する。【解決手段】低コスト及び低角度回転のラチェットスパナ構造は、主にラチェットスパナ１を含み、ラチェットスパナ１にはハンドルを含む。このハンドル端部には納置室が設置され、その納置室には高ポイント数のラチェット２０が設置される。このラチェットポイント数は９０ポイントから１８０ポイント間で、細動部２１の噛み合わせによって、移動角度の小さいラチェットスパナになり、実用的である。【選択図】        図１
2004216517.tif 000002
【特許請求の範囲】
【請求項１】
低角度回転のラチェットスパナ構造は、主にラチェットスパナを含み、そのラチェットスパナはハンドルを含み、ハンドル端部に納置室を設置し、その納置室にラチェットを納置するもので、そのラチェットは、細動部の細動塊と共に噛み合う構造で、そのうちラチェットのポイント間距離は細動塊ポイント間距離の二倍以上の幅を備えることを特徴とする低コスト及び低角度回転のラチェットスパナ構造。
【請求項２】
低コストのラチェットスパナ構造は、主にラチェットスパナを含み、そのラチェットスパナはハンドルを含み、ハンドル端部に納置室を設置し、その納置室にラチェットを納置するもので、そのラチェットは、細動部の細動塊と共に噛み合う構造で、そのうち細動塊のポイント間距離は、ラチェットのポイント間距離の二倍以上の幅を備えることを特徴とする低コスト及び低角度回転のラチェットスパナ構造。
【請求項３】
低角度回転のラチェットスパナ構造は、主にラチェットスパナを含み、そのラチェットスパナはハンドルを含み、ハンドル端部に納置室を設置し、その納置室にラチェットを納置するもので、納置室には高ポイント数のラチェットを納置し、そのラチェットポイント数は９０ポイントから１８０ポイント間で、これに更に細動部を噛み合わせて掛合することによって、移動角度の小さいラチェットスパナ構造になることを特徴とする低コスト及び低角度回転のラチェットスパナ構造。
【発明の詳細な説明】
【０００１】
【発明の属する技術分野】
本発明は、低コスト及び低角度回転のラチェットスパナ構造に関するもので、主に高ポイント数のラチェットを使い、ラチェットスパナに利用することにより、更に小さい角度の回転を備え、同時に製造工程が低コストであるものである。
【０００２】
【従来の技術】
公知のラチェットスパナを使用する時、細動塊とラチェットの噛み合わせによって固定効果を得る。この使用場所は多様で、高ポイント数のラチェットは常に改善されてきた。初期には２４ポイントであったが、近年は７２ポイントになっている。高ポイント数のラチェットの利用度が高い理由は下述のとおりである。高ポイント数のラチェットを利用する場合、限られた作動空間での回転で、ポイント距離が小さいほうが有利である。例として車のエンジン室に使用する場合、内部の空間は狭くて障害物が多ため、回転角度も制限を受け、回転して元に戻せなかったり、ポイント移動距離の不足によってまったく回転できないこともある。また他にその他の部品をはずすには、良好な空間が必要である。
また高ポイント数のラチェットは、精密度が高く、製造技術も高い。このため製造上の改善点も多い。
公知のラチェットポイントは７２ポイントであるが、細動塊も相対するポイント数が必要で、そのため成型の難度が高いため、改善が必要である。
【０００３】
【発明が解決しようとする課題】
本発明は、上述の問題を改善し、更に小さい角度の回転を備え、同時に製造工程を低コストにする低コスト及び低角度回転のラチェットスパナ構造を提供することを課題とする。
【０００４】
【課題を解決するための手段】
上記課題を解決するため、本発明の低角度回転のラチェットスパナ構造は、主にラチェットスパナを含み、そのラチェットスパナはハンドルを含み、ハンドル端部に納置室を設置し、その納置室にラチェットを納置するもので、そのラチェットは、細動部の細動塊と共に噛み合う構造で、そのうちラチェットのポイント間距離は細動塊ポイント間距離の二倍以上の幅を備えることを特徴とする。
低コストのラチェットスパナ構造は、主にラチェットスパナを含み、そのラチェットスパナはハンドルを含み、ハンドル端部に納置室を設置し、その納置室にラチェットを納置するもので、そのラチェットは、細動部の細動塊と共に噛み合う構造で、そのうち細動塊のポイント間距離はラチェットのポイント間距離の二倍以上の幅を備えることを特徴とする。
更に低角度回転のラチェットスパナ構造は、主にラチェットスパナを含み、そのラチェットスパナはハンドルを含み、ハンドル端部に納置室を設置し、その納置室にラチェットを納置するもので、納置室には高ポイント数のラチェットを納置し、そのラチェットポイント数は９０ポイントから１８０ポイント間で、これに更に細動部を噛み合わせて掛合することによって、移動角度の小さいラチェットスパナ構造になることを特徴とする。
すなわち、本発明の低コスト及び低角度回転のラチェットスパナ構造は、以下の特徴を有する。
１．低角度回転のラチェットスパナ構造は、主にラチェットスパナを含み、そのラチェットスパナはハンドルを含み、ハンドル端部に納置室を設置し、その納置室にラチェットを納置するもので、そのラチェットは、細動部の細動塊と共に噛み合う構造で、そのうちラチェットのポイント間距離は細動塊ポイント間距離の二倍以上の幅を備えることを特徴とする。
２．低コストのラチェットスパナ構造は、主にラチェットスパナを含み、そのラチェットスパナはハンドルを含み、ハンドル端部に納置室を設置し、その納置室にラチェットを納置するもので、そのラチェットは、細動部の細動塊と共に噛み合う構造で、そのうち細動塊のポイント間距離は、ラチェットのポイント間距離の二倍以上の幅を備えることを特徴とする。
３．低角度回転のラチェットスパナ構造は、主にラチェットスパナを含み、そのラチェットスパナはハンドルを含み、ハンドル端部に納置室を設置し、その納置室にラチェットを納置するもので、納置室には高ポイント数のラチェットを納置し、そのラチェットポイント数は９０ポイントから１８０ポイント間で、これに更に細動部を噛み合わせて掛合することによって、移動角度の小さいラチェットスパナ構造になることを特徴とする。
【０００５】
【発明の実施の形態】
以下、本発明低コスト及び低角度回転のラチェットスパナ構造の実施例を図面に基づいて説明する。
先ず、図１から図７が示すのは、本発明の高ポイント数の製造方法で、そのうちこれはポイント数が９０ポイントから１８０ポイントの間のもので、その工程は、下述のとおりである。
一、鍛造：先ず鍛造技術によって、鍛出したラチェット本体粗生地１０を図３に示す。
二、焼なまし球体化：ラチェット本体粗生地１０を焼なまし球体化によって、ラチェット本体細生地にする。その目的は、鍛造によって発生した応力を消し、その構造性を安定させるためである。更にポイント数の精度に応じて焼なまし球体化は一回以上行い、二回行うのが最も望ましい。
三、旋盤による縁体修正：旋盤加工によって、ラチェット本体細生地を再加工し、ラチェット本体第二次細生地１２にする。
四、研磨加工：旋盤加工後のラチェット本体第二次細生地１２に研磨加工を施す。この時、芯有り或いは芯なしの研磨によって、精度を１ｕから５ｕに前後に設定する。上述は図４及び図５に示す。
五、圧延：第四段階完成後のラチェット本体細生地を定位平行内掛回転無屑搾り型で、外周９０から１８０ポイントのラチェットポイント粗生地１３に成型する。上述は図６に示す。
六、熱処理：再びラチェットポイント粗生地１３に熱加工を施し、ラチェットポイント細生地にする。
七、表面処理：ラチェットポイント細生地に表面加工処理（電気メッキ或いは黒染め）を施すと、ラチェット２０になる。
【０００６】
上述の成型方法は、高ポイント数のラチェット構造で、そのうち図１に示すとおり、本発明のラチェットスパナ１は、ハンドルを備え、ハンドルの先端には納置室が設置される。この納置室にラチェット２０が固定設置される。このラチェット２０は細動部２１と共に、単方向或いは両方向に回転する。このラチェットは、上述の方法によって製造された９０ポイントから１８０ポイントのラチェットを使用し、細動部２１の細動塊２１１とラチェット２０のかみ合わせより、回転掛合効果を備える。
その他本発明の目的であるコストに関して、このラチェット塊２１１のポイント部分を一般ポイントのラチェットポイントにする。図８、９に示すとおり、ラチェット塊２１１のポイント間距離は、ラチェット２０のポイント間距離の二倍以上にする。図９に示すとおり、このラチェット塊２１１のポイント部がちょうど高ポイント数のラチェット２０の三ポイント間に掛合するため、回転させると、図９に示すとおり、ラチェットポイントを跳動させる構造になる。
【０００７】
上述のとおり、本発明は高ポイント数のラチェット２０を使い、それに一般ポイント数のラチェット塊と合わせることによって、効果を得ることができる。このほか、この細動塊のポイント間距離は、ラチェット歯のポイント間距離の二倍あるため、コストを有効に下げながら、且つラチェット歯単ポイント距離を跳動させる効果を具える。
【０００８】
このほか、図１０、１１、１２に示すのは、本発明の第二実施例で、そのうち高ポイント数のラチェット塊２１２を使用し、一般ポイント数のラチェット２０´を合せる。そのうち、高ポイント数のラチェット塊２１２の製造は上述の方法を用い、噛み合わせが跳動する時、ラチェットのポイント間距離は、細動塊のポイント間距離の半分と同じになり、このため同様の効果を得ることができ、狭い空間でもラチェットスパナを使用できる。
【０００９】
【発明の効果】
以上説明したように、本発明の低コスト及び低角度回転のラチェットスパナ構造は、主にラチェットスパナを含み、ラチェットスパナにはハンドルを含む。このハンドル端部には納置室が設置され、その納置室には高ポイント数のラチェットが設置される。このラチェットポイント数は９０ポイントから１８０ポイント間で、細動部の噛み合わせによって、移動角度の小さいラチェットスパナになるという特徴をもつ。それにより、更に小さい角度の回転を備え、同時に製造工程を低コストにするのに効果的である。
【図面の簡単な説明】
【図１】本発明のラチェットスパナの構造指示図である。
【図２】本発明の９０ポイントから１８０ポイントのラチェット製造法の流れ図である。
【図３】本発明の９０ポイントから１８０ポイントのラチェット製造法のラチェット粗生地の鍛造に関する構造指示図である。
【図４】本発明の９０ポイントから１８０ポイントのラチェット製造法の研磨に関する指示図である。
【図５】本発明の９０ポイントから１８０ポイントのラチェット製造法の芯なし研磨の指示図である。
【図６】本発明の９０ポイントから１８０ポイントのラチェット製造法の圧延に関する指示図である。
【図７】本発明の９０ポイントから１８０ポイントのラチェット製造法のラチェット外観指示図である。
【図８】本発明の低コスト及び低角度回転のラチェットスパナ構造の動作指示図である。
【図９】本発明の低コスト及び低角度回転のラチェットスパナ構造の動作指示図である。
【図１０】本発明の低コスト及び低角度回転のラチェットスパナ構造の別の実施例分解指示図である。
【図１１】本発明の低コスト及び低角度回転のラチェットスパナ構造の動作指示図である。
【図１２】本発明の低コスト及び低角度回転のラチェットスパナ構造の動作指示図である。
【符号の説明】
１  ラチェットスパナ
１０  ラチェット本体粗生地
１２  ラチェット本体第二次細生地
１３  ラチェットポイント粗生地
２０  ラチェット
２１  細動部
２１２  ラチェット塊
【図１】
2004216517.tif 000003
【図２】
2004216517.tif 000004
【図３】
2004216517.tif 000005
【図４】
2004216517.tif 000006
【図５】
2004216517.tif 000007
【図６】
2004216517.tif 000008
【図７】
2004216517.tif 000009
【図８】
2004216517.tif 000010
【図９】
2004216517.tif 000011
【図１０】
2004216517.tif 000012
【図１１】
2004216517.tif 000013
【図１２】
2004216517.tif 000014